(57)【要約】【課題】  ドットマトリックス液晶表示手段を備えた電気炊飯器において、ドットマトリックス液晶表示手段の表示システムを改善し、メニュー設定操作の操作性の向上を図る。【解決手段】  ドットマトリックス表示方式の液晶表示手段と、該液晶表示手段を駆動制御する表示制御手段を備えた電気炊飯器であって、調理開始に至るまでの設定内容の複数の情報をお気に入りモード情報として記憶するとともに、当該情報を指定のキー操作により前記液晶表示手段に順次表示し且つ調理開始することができるように構成して、ユーザが必要とするお気に入りモード情報が迅速に得られるようにしている。【選択図】        図３
2007330317.tif 000002
【特許請求の範囲】
【請求項１】
加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器であって、調理開始に至るまでの設定内容の複数の情報をお気に入りモード情報として記憶するとともに、当該情報を指定のキー操作により前記液晶表示手段に順次表示し且つ調理開始することができるように構成したことを特徴とする電気炊飯器。
【請求項２】
前記お気に入りモード情報による加熱開始と通常選択時における加熱開始とを同じ加熱開始手段で開始できるように構成したことを特徴とする請求項１記載の電気炊飯器。
【請求項３】
前記お気に入りモード情報を登録する登録キーと前記お気に入りモード情報を呼び出す呼び出しキーとを同一のキーで構成したことを特徴とする請求項１および２のいずれか一項記載の電気炊飯器。
【請求項４】
加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器であって、前記操作キーの一つとしてお気に入りキーを設けるとともに、該お気に入りキーによるお気に入りモード情報の登録を複数の他の操作キーを利用して行い且つ複数の他の操作キーによって炊飯開始を行い得るように構成したことを特徴とする電気炊飯器。
【発明の詳細な説明】
【技術分野】
【０００１】
本願発明は、電気炊飯器に関し、さらに詳しくは液晶表示手段を備えた電気炊飯器に関するものである。
【背景技術】
【０００２】
最近のマイコン制御式の電気炊飯器では、液晶表示手段を備え、白米、玄米、おかゆ、おこわ等の各種炊飯メニュー、現在時刻、タイマー炊飯予約時刻、炊飯完了残時間、調理完了残時間、通常保温、低温保温等の保温メニュー、保温時間（設定時間／経過時間）などの炊飯、調理、保温に関する各種の情報が、その動作状態（待機中、セット中、セット後、炊飯又は保温動作中など）に応じて適切に表示されるようになっている。
【０００３】
そして、これまでの液晶表示手段では、一般に文字部は予め表示面に固定的に設定されており、それに対して所定のマーカー部を移動（点灯）させて対応表示させる一方、時刻、時間等の数字の表示には７セグメントの液晶によるセグメント表示方式が採用されていた（特許文献１参照）。
【０００４】
一方、最近では、さらに上記のようなセグメント表示方式の液晶表示手段とは別に文字や絵表示の可能なドットマトリックス表示方式の液晶表示手段を設け、数字と同時に文字や絵図をも任意の位置に表示することができるようにしたものが提案されるようになっている（特許文献２参照）。
【０００５】
このように、セグメント表示方式の液晶表示手段に加えてドットマトリックス表示方式の液晶表示手段を組み合わせると、現在時刻やタイマー予約時刻、保温経過時間、各種動作状態その他を文字や絵図を組み合わせた豊富な情報内容で、分かりやすくユーザに対して提供できるようになる。
【０００６】
【特許文献１】特開２００２−２０２４９９号公報（明細書第１〜１０頁、図１〜図９）。
【０００７】
【特許文献２】特開２００４−２２２９３６号公報（明細書第１〜８頁、図１〜図２２）。
【発明の開示】
【発明が解決しようとする課題】
【０００８】
しかし、上記後者の従来例の場合、ドットマトリックス表示方式の液晶表示手段の表示方法自体には何らの特別なアイデアが付加されておらず、せっかくの高度な表示情報に対応したユーザの操作性の向上については格別な考慮がなされていない。
【０００９】
本願発明は、上記の点に鑑みてなされたもので、ドットマトリックス液晶表示手段を備えた電気炊飯器において、ドットマトリックス液晶表示手段の表示システムを改善し、メニュー設定操作の操作性の向上を図ることを目的としている。
【課題を解決するための手段】
【００１０】
本願発明では、上記課題を解決するための第１の手段として、加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器であって、調理開始に至るまでの設定内容の複数の情報をお気に入りモード情報として記憶するとともに、当該情報を指定のキー操作により前記液晶表示手段に順次表示し且つ調理開始することができるように構成している。
【００１１】
上記のように構成したことにより、調理開始に至るまでの設定内容の複数の情報がお気に入りモード情報として記憶され、当該情報が指定のキー操作によりドットマトリックス表示方式の液晶表示手段に順次表示され且つ調理開始されることとなる。従って、ユーザが必要とするお気に入りモード情報が迅速に得られることとなり、操作性および視認性が大幅に向上することとなる。
【００１２】
本願発明では、さらに、上記課題を解決するための第２の手段として、上記第１の手段を備えた電気炊飯器において、前記お気に入りモード情報による加熱開始と通常選択時における加熱開始とを同じ加熱開始手段で開始できるように構成することもでき、そのように構成した場合、お気に入りモード情報による加熱開始と通常選択時における加熱開始とを同じ加熱開始手段で開始できるところから、操作性がより一層向上する。
【００１３】
本願発明では、さらに、上記課題を解決するための第３の手段として、上記第１又は第２の手段を備えた電気炊飯器において、前記お気に入りモード情報を登録する登録キーと前記お気に入りモード情報を呼び出す呼び出しキーとを同一のキーで構成することもでき、そのように構成した場合、キーの操作性および構造が簡略化できる。
【００１４】
本願発明では、上記課題を解決するための第４の手段として、加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器において、前記操作キーの一つとしてお気に入りキーを設けるとともに、該お気に入りキーによるお気に入りモード情報の登録を複数の他の操作キーを利用して行い且つ複数の他の操作キーによって炊飯開始を行い得るように構成している。
【００１５】
上記のように構成したことにより、操作キーの一つをお気に入りキーとするとともに、該お気に入りキーによるお気に入りモード情報の登録を複数の他の操作キーを利用して行い且つ複数の他の操作キーによって炊飯開始を行い得ることとなり、従って、ユーザが必要とするお気に入りモード情報が迅速に得られることとなり、操作性および視認性が大幅に向上することとなる。
【発明の効果】
【００１６】
本願発明の第１の手段によれば、加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器であって、調理開始に至るまでの設定内容の複数の情報をお気に入りモード情報として記憶するとともに、当該情報を指定のキー操作により前記液晶表示手段に順次表示し且つ調理開始することができるように構成して、調理開始に至るまでの設定内容の複数の情報がお気に入りモード情報として記憶され、当該情報が指定のキー操作によりドットマトリックス表示方式の液晶表示手段に順次表示され且つ調理開始されるようにしたので、ユーザが必要とするお気に入りモード情報が迅速に得られることとなり、操作性および視認性が大幅に向上するという効果がある。
【００１７】
本願発明の第２の手段におけるように、上記第１の手段を備えた電気炊飯器において、前記お気に入りモード情報による加熱開始と通常選択時における加熱開始とを同じ加熱開始手段で開始できるように構成することもでき、そのように構成した場合、お気に入りモード情報による加熱開始と通常選択時における加熱開始とを同じ加熱開始手段で開始できるところから、操作性がより一層向上する。
【００１８】
本願発明の第３の手段におけるように、上記第１又は第２の手段を備えた電気炊飯器において、前記お気に入りモード情報を登録する登録キーと前記お気に入りモード情報を呼び出す呼び出しキーとを同一のキーで構成することもでき、そのように構成した場合、キーの操作性および構造が簡略化できる。
【００１９】
本願発明の第４の手段によれば、加熱手段と、該加熱手段を制御する加熱制御手段と、各種の操作キーを具備した操作パネル部と、該操作パネル部に設けられたドットマトリックス表示方式の液晶表示手段と、該液晶表示手段を駆動制御する表示制御手段とを備えた電気炊飯器において、前記操作キーの一つとしてお気に入りキーを設けるとともに、該お気に入りキーによるお気に入りモード情報の登録を複数の他の操作キーを利用して行い且つ複数の他の操作キーによって炊飯開始を行い得るように構成して、操作キーの一つをお気に入りキーとするとともに、該お気に入りキーによるお気に入りモード情報の登録を複数の他の操作キーを利用して行い且つ複数の他の操作キーによって炊飯開始を行い得るようにしたので、ユーザが必要とするお気に入りモード情報が迅速に得られることとなり、操作性および視認性が大幅に向上するという効果がある。
【発明を実施するための最良の形態】
【００２０】
以下、添付の図面を参照して、本願発明の好適な実施の形態について説明する。
【００２１】
まず、図１および図２を参照して本実施の形態にかかる電気炊飯器の全体構造について説明する。
【００２２】
この電気炊飯器の炊飯器本体は、内部に誘起される渦電流によって自己発熱が可能な例えばステンレス鋼板等の磁性金属板よりなる内鍋（飯器ないし保温容器）３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器本体の上部に開閉可能に設けられた蓋ユニット２とから構成されている。
【００２３】
上記内ケース４の底壁部４ａの下方側には、コイル台７が設けられ、その上部には、フェライトコア７ａを介して、上記内鍋３の底壁部３ａの中央部と側方部の各位置に対応して各々リッツ線が同心状に巻成された２組の底面ワークコイルＣ1，Ｃ2、また内鍋３の側壁部３ｂに至る略全体を包み込むように設けられており、それらにより通電時には内鍋３の略全体に渦電流を誘起して、その全体を略均一に加熱するようになっている。
【００２４】
また、上記内ケース４の側壁部４ｂには、保温時において加熱手段として機能する保温ヒータＨ1が設けられており、保温時において上記内鍋３の全体を有効かつ均一に加熱するようになっている。
【００２５】
また、上記内ケース４の前方側には、ワークコイルＣ1，Ｃ2，Ｃ3、保温ヒータＨ1、肩ヒータＨ2等を駆動制御するＩＧＢＴやヒータ駆動回路、電源電圧整流用のダイオードブリッジ、平滑回路などを備えた制御回路基板９が上下方向に延びて設けられている。
【００２６】
この制御回路基板９の下部には、例えば上記ＩＧＢＴに接して放熱用のヒートシンク１９が設けられ、その下部側には、冷却ファン１７が設けられている。冷却ファン１７は、上記外ケース１の底部に形成された空気吸込グリル４９ａから吸入した空気を上記ヒートシンク１９および制御回路基板９を介して内ケース４の外周囲に流し、必要な発熱部の冷却を行う。
【００２７】
また、上記外ケース１は、上下方向に筒状の金属製のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。
【００２８】
該操作パネル部２０の内側には、図２に示すように、十分に広く大きな表示面積をもつ液晶表示部２１（後述するように、この液晶表示部２１は、ドットマトリックス（フルドットマトリックス）表示方式の液晶パネル５３Ａにより構成される）が設けられ、その周囲には、後述するマイコン基板５１上に設けられている炊飯キー２２ａ、タイマー予約キー２２ｂ、取消キー２２ｃ、保温キー２２ｄ、お米選択キー２２ｅ、メニュー選択キー２２ｆ、炊き分けキー２２ｇ、お気に入りメニューキー２２ｈ、時キー２２ｉ等の各種操作キーの操作面（タッチ面）が配設されている。
【００２９】
そして、該操作パネル部２０の内側下方（裏面側下方）には、基板取付ブラケット５を介してマイコン基板５１が前後方向に所定の角度傾斜して設けられている。
【００３０】
前記マイコン基板取付ブラケット５は、その下部５ａ側を本体側肩部材１１から下方に延びた前面側枠部材１１ａの下部に対して固定することにより支持されており、後方側に傾斜した上部５ｂ側の前面にマイコン基板５１を取り付けている。
【００３１】
このマイコン基板（マスター基板）５１上には、例えば図３、図４に示すように、電気回路部品として後述するマイコン制御ユニット（炊飯・調理・保温等の加熱制御機能とセグメント表示方式の液晶パネル５３Ｂの表示制御機能とを備えたマスターマイコン）３２およびＥＥＰＲＯＭ４５、バックアップ電源４８などが設けられており、液晶パネル取付部材としての合成樹脂製の液晶ホルダー５５を介してドットマトリックス表示方式の液晶パネル５３Ａ（又は必要に応じてセグメント表示方式の液晶パネル５３Ｂ）が設置されるようになっている。
【００３２】
この液晶ホルダー５５は、先ず上面側には凹溝面状の液晶パネル嵌合部５５ａが、また下面側には表示制御基板取付部５５ｂが、さらに外周部には図示しない弾性支持片を介して上記各操作キー２６ａ〜２６ｉ（全ては図示せず）の操作ロッド２３ａ〜２３ｉ（全ては図示せず）および取付脚２５，２５・・が、それぞれ設けられている。
【００３３】
そして、同液晶ホルダー５５には、上面側液晶パネル嵌合部５５ａに、ドットマトリックス方式の液晶パネル５３Ａ（図１、図３参照）又は従来型のセグメント表示方式の液晶パネル５３Ｂ（図４参照）の何れかが任意に選択して嵌合設置されるようになっている。また、下面側表示制御基板取付部５５ｂには、上記ドットマトリックス表示方式の液晶パネル５３Ａに対応した表示制御基板５２が取り付けられる。この表示制御基板５２には、図３に示すように、表示制御用のマイコン５２ａと液晶駆動回路５２ｂとが設けられている。そして、同液晶ホルダー５５は、そのように何れか一つの液晶パネル５３Ａ又は５３Ｂを嵌合した状態で、上記取付脚２５，２５・・を上記マイコン基板５１側の取付穴に挿入して係合することにより、上記マイコン基板５１上に所定の間隔を保って取り付けられる（図１〜図３は、ドットマトリックス表示方式の液晶パネル５３Ａを搭載した状態を示している）。
【００３４】
上記マイコン基板５１上のマイコン制御ユニット３２には、各操作キー２６ａ〜２６ｉを介して入力されたユーザの指示内容を判断する所望の認識手段が設けられており、該認識手段で認識されたユーザの指示内容に応じた液晶パネル５３Ａ（５３Ｂ）の表示画面上への必要な表示、また同指示内容に応じた所望の炊飯／調理又は保温機能、所望の炊飯／調理又は保温メニュー、それら炊飯／調理又は保温のお気に入りメニュー、同メニューに応じた炊き分けに対応した所定の加熱パターンを設定して、その炊飯加熱制御手段又は保温加熱制御手段を適切に作動させて所望の炊飯／調理又は保温を行うようになっている。
【００３５】
従って、ユーザは、上記各操作キー２６ａ〜２６ｉを使って炊飯／調理又は保温、タイマー予約モード、お気に入りモードの設定、メニュー、炊き分け、時刻設定、白米又は玄米、早炊き、炊込み、おこわ等のメニュー、火かげんその他の各種の炊飯／調理又は保温の選択設定内容を入力すれば、それに対応した機能内容が当該マイコン制御ユニット３２内の認識手段を介して炊飯／調理および保温加熱パターン等設定部に自動的に設定入力され、対応する炊飯／調理又は保温加熱制御が所望の制御パターン（通常／省エネ）で適切になされるようになる。
【００３６】
一方、符号２は蓋ユニットであり、該蓋ユニット２は、その外周面を構成する合成樹脂製の外カバー１２と、内周面を構成する真空二重壁構造の内カバー１３と、該内カバー１３の下側に着脱可能に設けられた金属製の放熱板１６とから構成されている。なお、符号１４は、内鍋３の開口縁部３ｃに対応するようにして上記放熱板１６の外周縁部内側に設けられたシール用のラバー製パッキン、２ａは蒸気排出口の蒸気キャップである。
【００３７】
この蓋ユニット２は、上記外ケース１後部の肩部材１１部分に対してヒンジ機構を介して上下方向に回動自在に取り付けられており、その開放端側には、該蓋ユニット２の所定位置に係合して該蓋ユニット２の上下方向への開閉を行うロック／アンロック機構１８が設けられている。
【００３８】
（液晶表示部２１の構成）
本実施の形態の場合、図２のように基本的に上記ドットマトリックス表示方式の液晶パネル５３Ａを採用して構成されるようになっており、同液晶パネル５３Ａの通常画面（図２参照）では、選択可能なコースとして、お米選択（白米、無洗米、玄米、もち米等）、これら各選択コースの中で各種のメニュー項目、さらに各種のメニュー項目の中で、さらに各種の炊き分け（即ち、火かげん）項目が順次階層的に表示されるようになっている。
【００３９】
お米選択、メニュー、炊き分け（火かげん）の各表示領域は、上方から下方に３段に区分して設置され、各項目は、各々左右方向に並べて表示されるようになっている。
【００４０】
そして、お米選択、メニュー、炊き分け（火かげん）３段の各表示部の右側操作パネル部には、お米選択、メニュー、炊き分け（火かげん）の各々に対応してお米選択キー２２ｅ、メニュー選択キー２２ｆ、炊き分けキー２２ｇが設けられている。
【００４１】
このように、表示部を上下方向に複数段とし、それに併せて操作部を横並びに対応させて設けると、画面上の表示項目と操作キー部とが左右に連動し、非常に操作し易くなる。また、以上の場合、上記上段側表示部の表示を行った後に下段側の表示を行う場合には、上段側の表示内容が記憶手段の記憶されているが、それとは逆に下段側の表示を行った後に上段側の表示を行った場合には下段側の表示内容の記憶はなされないようになっている。このような構成によれば、誤った対応関係での設定を防止することができる。
【００４２】
（１）  コースの選択
以上の構成において、上記お米選択キー２２ｅがＯＮ操作されると、例えば図５に示されるように、図６の待ち受け画面から、白米／ごはん／火かげん：強（白米／炊込み／火かげん：強あるいは白米／おかゆ）→無洗米／ごはん／早炊き火かげん：強→玄米／ごはん／ふつう（玄米／ごはん／ＧＡＢＡ増量あるいは玄米／おかゆもしくは玄米／分づき）→もち米／炊きおこわ／火かげん：強（もち米／蒸しおこわ）→その他／調理／高温（その他／蒸しあるいはその他／洗浄）に順次画面が切り替わり、サーキュレーション状態で、ＯＮする度に、それらの画面表示が繰り返される。
【００４３】
（２）  お気に入りモードの設定
お気に入りキー２２ｈをＯＮ操作し、前述のコース選択における各種操作キーを操作することで、図６に示されている各種のお気に入りモード（１）〜お気に入りモード（６）が設定されることとなっている。そして、炊飯キー２２ａのＯＮ操作により、設定されたお気に入りモードにより炊飯が実行されることとなっている。
【００４４】
上記した各種の画面表示が可能な本実施の形態にかかる電気炊飯器では、例えば図７〜図１０の各フローチャートに示されるような各種の視認性、操作性を向上させるための表示制御が行われる。
【００４５】
（Ａ）  メニュー選択画面からの一般的な設定制御（図７参照）
炊飯である場合（ステップＳ１で肯定判定の場合）には、ステップＳ１０で炊飯に関連するメニュー画面に切り換えて、必要な設定を行う。
【００４６】
他方、炊飯でない否定判定の場合には、ステップＳ２〜Ｓ９で、順次「コース？」、「メニュー？」、「炊き分け？」、「予約？」、「保温？」、「予約時間の時／分？」、「お気に入り？」、「取消？」の判定を行い、それぞれの判定に該当する肯定判定の場合には、順次「次のコースメニューの表示」（ステップＳ２からＳ１１）、「次のメニューの選択表示」（ステップＳ３からＳ１２）、「次の炊き分けの選択表示」（ステップＳ４からＳ１３）、「予約時間設定画面への切り換え」（ステップＳ５からＳ１４）、「保温設定画面又は保温画面への切り換え」（ステップＳ６からＳ１５）、「時刻（時／分）設定画面への切り換え」（ステップＳ７からＳ１６）、「お気に入り画面（図１１参照）への切り換え」（ステップＳ８からＳ１７）、「待機画面への切り換え」（ステップＳ９からＳ１８）が行われる。
【００４７】
これによって、各コースの内の何れかのコースのものが、通常モード、予約モード又はお気に入りモード、所定のメニュー内容、所定の炊き分け内容で設定される。
【００４８】
（Ｂ）  予約メニュー選択画面からのコース・メニュー・炊き分け設定制御（図８参照）
コース選択として予約モードを選択した場合において、コースやメニュー、炊き分け操作を行った場合、予約できるか否かが不明なものもあり、ユーザには分かり憎い。なお、この予約モード（予約設定）の表示は、最上段のコースメニューの空きスペースを利用して行われる。
【００４９】
従来、このような場合、設定操作に対して無効音を発生させて、ユーザにお知らせることも行われていたが、明確ではなかった。
【００５０】
そこで、本実施の形態では、本来予約モードで設定できない炊き分け内容は、最初から表示を省略するとともに、必要に応じて新たな専用画面を表示して明確にユーザに認識させるようにしている。
【００５１】
今、例えば予約モードが選択され、それに対応して各コース毎の予約メニュー選択画面を表示かる時、予約モードで予約できない炊き分け項目は、最初から表示しない。
【００５２】
そして、次に炊飯であるか否かを判定し、炊飯である場合（ステップＳ１で肯定判定の場合）には、ステップＳ１０で炊飯に関連するメニュー画面に切り換えて、必要な設定を行う。
【００５３】
他方、炊飯でない否定判定の場合には、ステップＳ２〜Ｓ９で、順次「コース？」、「メニュー？」、「炊き分け？」、「予約？」、「保温？」、「予約時間の時／分？」、「お気に入り？」、「取消？」の判定を行い、それぞれの判定に該当する肯定判定の場合には、順次「次のコースメニューの表示」（ステップＳ２からＳ１１）、「次のメニューの表示」（ステップＳ３からＳ１２）、「次の炊き分けの選択表示」（ステップＳ４からＳ１３）、「予約時間設定画面への切り換え」（ステップＳ５からＳ１４）、「保温設定画面又は保温画面への切り換え」（ステップＳ６からＳ１５）、「時刻（時／分）設定画面への切り換え」（ステップＳ７からＳ１６）、「お気に入り画面（図１１参照）への切り換え」（ステップＳ８からＳ１７）、「待機画面への切り換え」（ステップＳ９からＳ１８）が行われる。
【００５４】
これによって、各コースの内の何れかのコースのものが、通常モード、予約モード又はお気に入りモード、所定のメニュー内容、所定の炊き分け内容で設定される。
【００５５】
（Ｃ）  予約時間設定画面からの設定制御（図９参照）
予約しようとするコースが炊飯である場合（ステップＳ１で肯定判定の場合）には、ステップＳ１０で同予約炊飯確定画面に切り換えて、設定を完了する。そして、それによりタイマー予約炊飯が実行される。
【００５６】
他方、炊飯でない否定判定の場合には、ステップＳ２〜Ｓ９で、順次「コース？」、「メニュー？」、「炊き分け？」、「予約？」、「保温？」、「予約時間の時／分？」、「お気に入り？」、「取消？」の判定を行い、それぞれの判定に該当する肯定判定の場合には、順次「予約メニュー選択画面への切り換え」（ステップＳ２からＳ１１）、「予約メニュー選択画面への切り換え」（ステップＳ３からＳ１２）、「予約メニュー選択画面への切り換え」（ステップＳ４からＳ１３）、「予約時間設定画面への切り換え」（ステップＳ５からＳ１４）、「保温設定画面又は保温画面への切り換え」（ステップＳ６からＳ１５）、「時／分をインクリメント」（ステップＳ７からＳ１６）、「お気に入り画面（図１１参照）への切り換え」（ステップＳ８からＳ１７）、「待機画面への切り換え」（ステップＳ９からＳ１８）が行われる。
【００５７】
これによって、各コースの内の何れかのコースのものが、通常モード、予約モード又はお気に入りモード、所定のメニュー内容、所定の炊き分け内容で設定される。
【００５８】
（Ｄ）  待機画面からの設定制御（図１０参照）
以上のようにして、通常モード／予約モード／お気に入りモード各々のコース、メニュー、炊き分けの設定が終了すると、待機状態となり、待機画面が表示される。
【００５９】
そして、それが炊飯である場合（ステップＳ１で肯定判定の場合）には、ステップＳ９で同炊飯の何れかの待機画面で炊飯キーを操作し、炊飯を開始する。
【００６０】
他方、炊飯でない否定判定の場合には、ステップＳ２〜Ｓ８で、順次「コース？」、「メニュー？」、「炊き分け？」、「予約？」、「保温？」、「予約時間の時／分？」、「お気に入り？」の判定を行い、それぞれの判定に該当する肯定判定の場合には、順次「メニュー選択画面への切り換え」（ステップＳ２からＳ１０）、「メニュー選択画面への切り換え」（ステップＳ３からＳ１１）、「メニュー選択画面への切り換え」（ステップＳ４からＳ１２）、「予約時間設定画面への切り換え」（ステップＳ５からＳ１３）、「保温設定画面又は保温画面への切り換え」（ステップＳ６からＳ１４）、「時刻（時／分）設定画面への切り換え」（ステップＳ７からＳ１５）、「お気に入り画面（図１１参照）への切り換え」（ステップＳ８からＳ１６）が行われる。
【００６１】
ところで、上記のような設定制御および制御中において、何らかの不具合が生じたり、異常状態が生じた場合には、図１２に示すエラー表示がなされる。
【００６２】
本願発明は、上記実施の形態に限定されるものではなく、発明の要旨を逸脱しない範囲において適宜設計変更可能なことは勿論である。
【図面の簡単な説明】
【００６３】
【図１】本願発明の実施の形態にかかる電気炊飯器の縦断面図である。
【図２】本願発明の実施の形態にかかる電気炊飯器における操作パネル部の拡大平面図である。
【図３】本願発明の実施の形態にかかる電気炊飯器のドットマトリックス表示方式の液晶パネル搭載時の制御回路構成を示す図である。
【図４】本願発明の実施の形態にかかる電気炊飯器のセグメント表示方式の液晶パネル搭載時の制御回路構成を示す図である。
【図５】本願発明の実施の形態にかかる電気炊飯器におけるコース選択時の各種液晶パネル表示画面の例を示す図である。
【図６】本願発明の実施の形態にかかる電気炊飯器における液晶パネルの待ち受け画面を示す図である。
【図７】本願発明の実施の形態にかかる電気炊飯器におけるメニュー選択画面の状態から、コース、メニュー、炊き分け、予約、保温、お気に入りモード等の各種必要画面に移る時の表示動作の変化を示すフローチャートである。
【図８】本願発明の実施の形態にかかる電気炊飯器における予約メニュー選択画面の状態から、コース、メニュー、炊き分け、予約、保温、お気に入りモード等の各種必要画面に移る時の表示動作の変化を示すフローチャートである。
【図９】本願発明の実施の形態にかかる電気炊飯器における予約時間設定画面の状態から、コース、メニュー、炊き分け、予約、保温、お気に入りモード等の各種必要画面に移る時の表示動作の変化を示すフローチャートである。
【図１０】本願発明の実施の形態にかかる電気炊飯器における待機画面の状態から、コース、メニュー、炊き分け、予約、保温、お気に入りモード等の各種必要画面に移る時の表示動作の変化を示すフローチャートである。
【図１１】本願発明の実施の形態にかかる電気炊飯器における主なお気に入りモード画面の例を示す図である。
【図１２】本願発明の実施の形態にかかる電気炊飯器における誤操作又は異常発生時のメッセージ画面の一例を示す図である。
【符号の説明】
【００６４】
１は外ケース
２は蓋ユニット
３は内鍋
２０は操作パネル部
２１は液晶表示部
３２はマイコン制御ユニット
５１はマイコン基板
５２は表示制御基板
５３Ａはドットマトリックス表示方式の液晶パネル
５３Ｂはセグメント表示方式の液晶パネル
５５は液晶ホルダー
Ｃ1，Ｃ2，Ｃ3はワークコイル
Ｈ1は保温ヒータ
Ｈ2は肩ヒータ
【図１】
2007330317.tif 000003
【図２】
2007330317.tif 000004
【図３】
2007330317.tif 000005
【図４】
2007330317.tif 000006
【図５】
2007330317.tif 000007
【図６】
2007330317.tif 000008
【図７】
2007330317.tif 000009
【図８】
2007330317.tif 000010
【図９】
2007330317.tif 000011
【図１０】
2007330317.tif 000012
【図１１】
2007330317.tif 000013
【図１２】
2007330317.tif 000014